(57)【特許請求の範囲】
【請求項１】
金管楽器のベル管内に配置される金管楽器用弱音器であって、
前記金管楽器に吹き込まれる空気の少なくとも一部の移動経路を形成する管部を備え、
前記管部は、前記金管楽器に吹き込まれる空気の少なくとも一部の流入を許容する第１の開口部と、前記第１の開口部から流入した空気の一部の流出を許容する第２の開口部と、前記第１の開口部から流入した空気のうち前記金管楽器に吹き込まれる空気の流れの方向における前記第１の開口部と前記第２の開口部との間の位置から分流する一部の空気の流出を許容する第３の開口部とを備え、
前記管部は、前記第１の開口部から流入した空気の一部を前記第２の開口部へ導く経路である主経路と、前記主経路から分岐し前記第１の開口部から流入した空気の一部を前記第３の開口部へ導く経路である副経路とを形成し、
前記管部は、前記副経路の少なくとも一部において、前記副経路を流れる空気の流れの上流側から下流側に向かい前記副経路の断面積が小さくなるように前記副経路を形成する
金管楽器用弱音器。
【請求項２】
前記管部は、前記副経路が前記主経路の外周を囲むように前記主経路および前記副経路を形成する
請求項１に記載の金管楽器用弱音器。
【請求項３】
金管楽器のベル管内に配置される金管楽器用弱音器であって、
前記金管楽器に吹き込まれる空気の少なくとも一部の移動経路を形成する管部を備え、
前記管部は、前記金管楽器に吹き込まれる空気の少なくとも一部の流入を許容する第１の開口部と、前記第１の開口部から流入した空気の一部の流出を許容する第２の開口部と、前記第１の開口部から流入した空気のうち前記金管楽器に吹き込まれる空気の流れの方向における前記第１の開口部と前記第２の開口部との間の位置から分流する一部の空気の流出を許容する第３の開口部とを備え、
前記管部を前記ベル管のテーパ部に着脱可能に取り付ける固定部を更に備え、
前記固定部は、前記金管楽器に吹き込まれる空気の一部を前記管部を経由せずに前記ベル管内に導く経路を形成する
金管楽器用弱音器。
【請求項４】
金管楽器のベル管内に配置される金管楽器用弱音器であって、
前記金管楽器に吹き込まれる空気の少なくとも一部の移動経路を形成する管部を備え、
前記管部は、前記金管楽器に吹き込まれる空気の少なくとも一部の流入を許容する第１の開口部と、前記第１の開口部から流入した空気の一部の流出を許容する第２の開口部と、前記第１の開口部から流入した空気のうち前記金管楽器に吹き込まれる空気の流れの方向における前記第１の開口部と前記第２の開口部との間の位置から分流する一部の空気の流出を許容する第３の開口部とを備え、
前記管部は、前記第１の開口部から流入した空気の一部を前記第２の開口部へ導く経路である主経路と、前記主経路から分岐し前記第１の開口部から流入した空気の一部を前記第３の開口部へ導く経路である副経路とを形成し、
前記管部は複数の前記副経路を形成する
金管楽器用弱音器。
【請求項５】
前記管部は、前記金管楽器に吹き込まれる空気の流れの方向において互いに異なる位置に配置された複数の前記副経路を形成する
請求項４に記載の金管楽器用弱音器。
【請求項６】
金管楽器のベル管内に配置される金管楽器用弱音器であって、
前記金管楽器に吹き込まれる空気の少なくとも一部の移動経路を形成する管部を備え、
前記管部は、前記金管楽器に吹き込まれる空気の少なくとも一部の流入を許容する第１の開口部と、前記第１の開口部から流入した空気の一部の流出を許容する第２の開口部と、前記第１の開口部から流入した空気のうち前記金管楽器に吹き込まれる空気の流れの方向における前記第１の開口部と前記第２の開口部との間の位置から分流する一部の空気の流出を許容する第３の開口部とを備え、
前記管部は、前記第１の開口部から流入した空気の一部を前記第２の開口部へ導く経路である主経路と、前記主経路から分岐し前記第１の開口部から流入した空気の一部を前記第３の開口部へ導く経路である副経路とを形成し、
前記管部は、前記主経路を形成する管体である主管部と、前記主管部から前記主管部の外側に分岐し前記副経路を形成する管体である副管部を有し、前記主管部の管軸方向と前記副管部の管軸方向は平行である
金管楽器用弱音器。
【発明の詳細な説明】
【技術分野】
【０００１】
本発明は、管楽器や金管楽器の弱音器であって、特にトランペットのベルのようなホーン形状の音響器に適用される金管楽器用弱音器に関する。
【背景技術】
【０００２】
自然楽器における発音メカニズムをシミュレートして楽音を合成する技術が知られている。特許文献１にはマウスピース及び音響管を有する管楽器の発音メカニズムを励振部、ジャンクション、ウエーブガイドでシミュレートする楽音合成装置が開示されている。
【０００３】
図１９は、従来のテーパ管４５０を有する管楽器１０００Ａの構造を説明する図である。図２０は、図１９に示すテーパ管４５０の共鳴特性を近似したストレート管４１０、４２０を有する管楽器１０００Ｂの構造を説明する図である。管楽器１０００Ａは、テーパ管４５０を有する管体４００Ａ、およびマウスピース５００Ａを有する。管楽器１０００Ｂは、ストレート管４１０、４２０が分岐した構造の管体４００Ｂ、およびマウスピース５００Ｂを有する。ストレート管４１０、４２０の長さ、管の径を特許文献１に開示された技術を用いて設計すると、テーパ管４５０の共鳴特性を近似して再現することができる。
【先行技術文献】
【特許文献】
【０００４】
【特許文献１】特許第２７０７９１３号公報
【発明の概要】
【発明が解決しようとする課題】
【０００５】
ところで、演奏者は、金管楽器の演奏音量を小さくしたい場合には、ベル管部分に金管楽器用弱音器（ミュート）を取り付けた状態で演奏する場合がある。一般的な金管楽器用弱音器を取り付けた状態の金管楽器を演奏者が演奏すると、金管楽器用弱音器を取り付けることにより演奏音量が小さくすることができる一方、共鳴特性が大きく変化して所望する音質と大きく変わってしまうことがあった。
金管楽器を吹鳴した際の演奏音のピッチ、音質は、楽器の共鳴特性との関連が深い。従来の金管楽器用弱音器を装着した場合の共鳴特性は、金管楽器用弱音器を付けない場合の共鳴特性に比べ、低音域で余分な共鳴ピークが追加されるのが影響し、低音側の共鳴ピークが高周波数側に追いやられ、共鳴周波数が高くなってしまう。即ち、金管楽器に金管楽器用弱音器を取り付けると、低音域でピッチが高くなってしまう。
【０００６】
本発明の目的は、音を弱めることができるとともに、ピッチ、音色、音質を劣化することなく高精度に共鳴特性を再現することができる金管楽器に着脱可能な金管楽器用弱音器を提供することである。
【課題を解決するための手段】
【０００７】
上述の課題を解決するため、本発明は、金管楽器のベル管内に配置される金管楽器用弱音器であって、前記金管楽器に吹き込まれる空気の少なくとも一部の移動経路を形成する管部を備え、前記管部は、前記金管楽器に吹き込まれる空気の少なくとも一部の流入を許容する第１の開口部と、前記第１の開口部から流入した空気の一部の流出を許容する第２の開口部と、前記第１の開口部から流入した空気のうち前記金管楽器に吹き込まれる空気の流れの方向における前記第１の開口部と前記第２の開口部との間の位置から分流する一部の空気の流出を許容する第３の開口部とを備え、前記管部は、前記第１の開口部から流入した空気の一部を前記第２の開口部へ導く経路である主経路と、前記主経路から分岐し前記第１の開口部から流入した空気の一部を前記第３の開口部へ導く経路である副経路とを形成し、前記管部は、前記副経路の少なくとも一部において、前記副経路を流れる空気の流れの上流側から下流側に向かい前記副経路の断面積が小さくなるように前記副経路を形成する金管楽器用弱音器を提供する。
【０００８】
また、上述の金管楽器用弱音器において、前記管部は、前記副経路が前記主経路の外周を囲むように前記主経路および前記副経路を形成する、という構成が採用されてもよい。
【０００９】
また、本発明は、金管楽器のベル管内に配置される金管楽器用弱音器であって、前記金管楽器に吹き込まれる空気の少なくとも一部の移動経路を形成する管部を備え、前記管部は、前記金管楽器に吹き込まれる空気の少なくとも一部の流入を許容する第１の開口部と、前記第１の開口部から流入した空気の一部の流出を許容する第２の開口部と、前記第１の開口部から流入した空気のうち前記金管楽器に吹き込まれる空気の流れの方向における前記第１の開口部と前記第２の開口部との間の位置から分流する一部の空気の流出を許容する第３の開口部とを備え、前記管部を前記ベル管のテーパ部に着脱可能に取り付ける固定部を更に備え、前記固定部は、前記金管楽器に吹き込まれる空気の一部を前記管部を経由せずに前記ベル管内に導く経路を形成する金管楽器用弱音器を提供する。
【００１０】
また、本発明は、金管楽器のベル管内に配置される金管楽器用弱音器であって、前記金管楽器に吹き込まれる空気の少なくとも一部の移動経路を形成する管部を備え、前記管部は、前記金管楽器に吹き込まれる空気の少なくとも一部の流入を許容する第１の開口部と、前記第１の開口部から流入した空気の一部の流出を許容する第２の開口部と、前記第１の開口部から流入した空気のうち前記金管楽器に吹き込まれる空気の流れの方向における前記第１の開口部と前記第２の開口部との間の位置から分流する一部の空気の流出を許容する第３の開口部とを備え、前記管部は、前記第１の開口部から流入した空気の一部を前記第２の開口部へ導く経路である主経路と、前記主経路から分岐し前記第１の開口部から流入した空気の一部を前記第３の開口部へ導く経路である副経路とを形成し、前記管部は複数の前記副経路を形成する金管楽器用弱音器を提供する。
【００１１】
また、上述の金管楽器用弱音器において、前記管部は、前記金管楽器に吹き込まれる空気の流れの方向において互いに異なる位置に配置された複数の前記副経路を形成する、という構成が採用されてもよい。
【００１２】
また、本発明は、金管楽器のベル管内に配置される金管楽器用弱音器であって、前記金管楽器に吹き込まれる空気の少なくとも一部の移動経路を形成する管部を備え、前記管部は、前記金管楽器に吹き込まれる空気の少なくとも一部の流入を許容する第１の開口部と、前記第１の開口部から流入した空気の一部の流出を許容する第２の開口部と、前記第１の開口部から流入した空気のうち前記金管楽器に吹き込まれる空気の流れの方向における前記第１の開口部と前記第２の開口部との間の位置から分流する一部の空気の流出を許容する第３の開口部とを備え、前記管部は、前記第１の開口部から流入した空気の一部を前記第２の開口部へ導く経路である主経路と、前記主経路から分岐し前記第１の開口部から流入した空気の一部を前記第３の開口部へ導く経路である副経路とを形成し、前記管部は、前記主経路を形成する管体である主管部と、前記主管部から前記主管部の外側に分岐し前記副経路を形成する管体である副管部を有し、前記主管部の管軸方向と前記副管部の管軸方向は平行である金管楽器用弱音器を提供する。
【発明の効果】
【００１４】
本発明によれば、音を弱めることができるとともに、ピッチ、音色、音質を劣化することなく高精度に共鳴特性を再現することができる金管楽器に着脱可能な金管楽器用弱音器を提供することができる。
【図面の簡単な説明】
【００１５】
【図１】実施形態における金管楽器用弱音器が取り付けられる管楽器の構成を説明する図である。
【図２】実施形態における金管楽器用弱音器の構成を説明する図である。
【図３】図２における矢視Ａ−Ａ方向から見た断面図である。
【図４】実施形態における管楽器に取り付けられた金管楽器用弱音器を説明する断面図である。
【図５】変形例１における管楽器に取り付けられた金管楽器用弱音器を説明する断面図である。
【図６】変形例２における管楽器に取り付けられた金管楽器用弱音器を説明する断面図である。
【図７】変形例３における管楽器に取り付けられた金管楽器用弱音器を説明する断面図である。
【図８】変形例４における管楽器に取り付けられた金管楽器用弱音器の第１の例を説明する断面図である。
【図９】変形例４における管楽器に取り付けられた金管楽器用弱音器の第２の例を説明する断面図である。
【図１０】変形例４における管楽器に取り付けられた金管楽器用弱音器の第３の例を説明する断面図である。
【図１１】変形例５における管楽器に取り付けられた金管楽器用弱音器の第１の例を説明する断面図である。
【図１２】変形例５における管楽器に取り付けられた金管楽器用弱音器の第２の例を説明する断面図である。
【図１３】変形例５における管楽器に取り付けられた金管楽器用弱音器の第３の例を説明する断面図である。
【図１４】変形例６における管楽器に取り付けられた金管楽器用弱音器を説明する断面図である。
【図１５】変形例６における固定部の他の例を説明する断面図である。
【図１６】変形例７における管楽器に取り付けられた金管楽器用弱音器を説明する断面図である。
【図１７】変形例７における管楽器に取り付けられた金管楽器用弱音器の他の例を説明する断面図である。
【図１８】変形例８における金管楽器用弱音器を説明する断面図である。
【図１９】従来のテーパ管を有する管楽器の構造を説明する図である。
【図２０】図１９に示すテーパ管の共鳴特性を近似したストレート管を有する従来の管楽器の構造を説明する図である。
【図２１】図１１に示す金管楽器用弱音器を用いた金管楽器における共鳴ピークの特性カーブを示すグラフである。
【図２２】従来の金管楽器用弱音器を用いた金管楽器における共鳴ピークの特性カーブを示すグラフである。
【発明を実施するための形態】
【００１６】
＜実施形態＞
図１は、実施形態における金管楽器用弱音器１００が取り付けられる管楽器１の構成を説明する図である。管楽器１は、一般的なトランペット、トロンボーンなどの金管楽器であり、音高調整部４１、マウスピース５１およびベル管７１を有する。音高調整部４１は、操作されることにより迂回管への経由の有無を変化させて管楽器１における管長を変化させるピストンバルブおよび迂回管を有する。音高調整部４１は、予め決められた音階のいずれかの音高の発音をするように、管楽器１において共鳴する気柱の長さを調整する。
ベル管７１は、テーパ部７２とベル部７３とを有する。テーパ部７２は、ベル管７１のうち、予め決められたテーパ率のテーパ管の形状をしている部分をいう。ベル部７３は、ベル管７１のうち、管軸方向の位置が変化するとテーパ率が変化していく形状、すなわち、ある曲率（曲率が位置によって変化してもよい）を有するベルの形状をしている部分をいう。以下の説明において、ベル管７１のベル部７３側の開口部分を端部７５Ｌという。演奏者によってマウスピース５１から吹き込まれる息は、管楽器１の内部空間に流入し、端部７５Ｌから外部に流出する。なお、マウスピース５１から吹き込まれる息は、演奏者によるものに限らず、機械的に吹き込まれた気体であってもよい。
続いて、管楽器１に着脱可能に取り付けられる金管楽器用弱音器１００について説明する。
【００１７】
図２は、実施形態における金管楽器用弱音器１００の構成を説明する図である。図３は、図２における矢視Ａ−Ａ方向から見た断面図である。図３に示す断面図においては、各構成の特徴がわかりやすいように、模式的に示した図としている。金管楽器用弱音器１００は、主管部１０および副管部２１を有する分岐管１１０と、固定部３１とを有する。主管部１０および副管部２１は、それぞれ断面形状が円形のストレート管である。ストレート管は、管軸方向のどの位置においても管体の断面形状が変化しないように形成された管体であり、真っ直ぐな管体であってもよいし曲がった形状の管体であってもよい。そのため、ストレート管において、管軸方向を法線とする面で切った場合の開口面積（以下、単に断面積といった場合には、この開口面積をいう）は、管軸方向のどの位置においても変化しない。
【００１８】
主管部１０は、金管楽器用弱音器１００が管楽器１に取り付けられた状態において、演奏者の息が吹き込まれる側（以下、上流側という）の一端部である上流側端部１５Ｕ（第１の開口部）と、息が抜ける側（以下、下流側という）の開口した他端部である下流側端部１５Ｌ（第２の開口部）とを有する。この例においては、上流側端部１５Ｕおよび下流側端部１５Ｌのそれぞれが形成する開口面は、管軸を法線とする面であるものとする。
副管部２１は、主管部１０と内部空間が連結されている。副管部２１は、その管軸方向が主管部１０の管軸方向と平行になるように、曲がった形状の管体である。副管部２１は、下流側の端部（第３の開口部）が開口している。
主管部１０に流入する演奏者の息は、主管部１０と副管部２１との内部空間の連結部分である連結部分Ｐ１において副管部２１に分岐して流入する。図３（以降の図についても同様）におけるＦは、息の流れを示している。したがって、主管部１０の上流側端部１５Ｕから流入する演奏者の息は、主管部１０の下流側端部１５Ｌ、および副管部２１の下流側端部から外部に流出する。
【００１９】
固定部３１は、主管部１０の上流側端部１５Ｕ側に設けられたコルク、ゴムなどの主管部１０などの管体より柔らかい部材で構成されている。この例においては、固定部３１は、主管部１０の管軸方向から見て、主管部１０の外周を覆うように主管部１０に接着されている。また、固定部３１の厚さは、上流側端部１５Ｕ側ほど薄くなっているため、表面形状は、円錐の頂点部分を切り取った形状となっている。この形状におけるテーパ率は、管楽器１のテーパ部７２におけるテーパ率と概ね一致している。固定部の位置は、第１の開口部と第３の開口部の間であれば、どこにあっても良い。
また、金管楽器用消音器１００は必ずしも固定部３１を備えていなくてもよく、例えば別部品として用意され予め管楽器内に挿入された固定部に対し主管部１０が挿入されることで、管楽器１に対し金管楽器用消音器１００が固定される構成が採用されても良い。
続いて、金管楽器用弱音器１００が管楽器１に取り付けられた状態について説明する。
【００２０】
図４は、実施形態における管楽器１に取り付けられた金管楽器用弱音器１００を説明する断面図である。金管楽器用弱音器１００は、ベル管７１の内部空間に挿入されて取り付けられる。具体的には、演奏者は、主管部１０の固定部３１が取り付けられた側（上流端部１５Ｕ側）がベル管の内部空間側に向くようにした状態の金管楽器用弱音器１００を、端部７５Ｌからベル管７１の内部空間に挿入する。金管楽器用弱音器１００がベル管７１の内部空間に挿入されると、固定部３１は、ベル管７１のテーパ部７２と主管部１０との間に挟まれる。このように、固定部３１は、ベル管７１のテーパ部７２と主管部１０との間に挟まれた状態で、管楽器１に対する主管部１０の位置、すなわち金管楽器用弱音器１００の位置を固定することにより、金管楽器用弱音器１００が管楽器１に取り付けられる。主管部１０とテーパ部７２とからの圧力を受けた固定部３１により管楽器１に金管楽器用弱音器１００が取り付けられているだけであるから、演奏者は、金管楽器用弱音器１００を管楽器１から引き抜くことにより、管楽器１から取り外すこともできる。
【００２１】
金管楽器用弱音器１００が管楽器１に取り付けられた状態において、分岐管１１０を構成する各管体（主管部１０および副管部２１）がベル管７１に接触しないように、金管楽器用弱音器１００の各構成の形状が決められている。図４に示す例においては、主管部１０の下流側端部１５Ｌがベル管７１の外側に位置して、金管楽器用弱音器１００の一部がベル管７１の内部空間に全て収まっていない状態である。なお、金管楽器用弱音器１００が管楽器１に取り付けられた状態において、金管楽器用弱音器１００の全てがベル管７１の内部空間に収まっているようにしてもよい。この場合は、主管部１０の管長が短くなるようにしてもよいし、主管部１０を曲がった形状のストレート管としてもよい。曲がった形状には、螺旋形状なども含まれる。
【００２２】
金管楽器用弱音器１００が管楽器１に取り付けられた状態において、上述した音高調整部４１は、主管部１０の下流側端部１５Ｌ、および副管部２１の下流側端部が開口した状態で、共鳴する気柱の長さを予め決められた長さに調整する。管楽器１は、予め決められた長さに調整した気柱の共鳴により、特定の音階を構成する各音高で発音する。すなわち、音高調整部４１は、主管部１０の下流側端部１５Ｌ、および副管部２１の下流側端部が開口した状態で、予め決められた音階のいずれかの音高の発音をするように、共鳴する気柱の長さを調整する。
【００２３】
このように、管楽器１に金管楽器用弱音器１００が取り付けられているか、取り付けられていないかにかかわらず、音高調整部４１によって、共鳴する気柱の長さが調整されると、予め決められた音階のいずれかの音高で発音するように、金管楽器用弱音器１００における分岐管１１０の内部空間の形状が決められている。この例においては、分岐管１１０を構成する主管部１０および副管部２１の管長、断面積および連結位置が決められている。
なお、管楽器が、トロンボーンの場合には、音高調整部４１によって、共鳴する気柱の長さを連続的に変更させることができるため、分岐管１１０を構成する主管部１０および副管部２１の管長、断面積および連結位置が決められる自由度が、トランペットにおける場合に比べて高くなる。すなわち、同じ音高を発音させるためのスライド管の位置は、管楽器１に金管楽器用弱音器１００が取り付けられている場合と取り付けられていない場合とで異なっていてもよい。
【００２４】
金管楽器用弱音器１００の分岐管１１０は、副管部２１の主管部１０への連結位置（主管部１０の管軸方向）、副管部２１の形状（管長、内部空間の断面積）など、分岐管１１０の形状に関するパラメータの内容に応じて、様々な共鳴特性を持つ。例えば、このパラメータを適宜設定すれば、一般的なトランペットのベル形状を有するベル管７１の共鳴特性を再現することもできる。また、主管部１０の下流側端部１５Ｌがベル形状のように広がっていないため、金管楽器用弱音器１００を取り付けることで、管楽器１から発音される音量を抑えることもできる。すなわち、金管楽器用弱音器１００によれば、管楽器１に取り付けることにより、管楽器１から発音される音量を抑えつつ、ベル管７１の共鳴特性を再現することができる。
図４の金管楽器用弱音器１００では、従来の金管楽器用弱音器と異なり、低音域で余分な共鳴ピークが追加されないので、特に低次ピークに対応するピッチや音色を良好に出来る。
図５の副管部２１ａは、図４の副管部２１に比べ、その設置位置を楽器の手前側とする自由度を有する。これにより、副管２１ａの移動範囲が拡大し、所望のピッチや音色を発生するよう演奏性を向上する。
【００２５】
また、従来の金管楽器用弱音器によれば演奏者の息の吹き抜けが強く抑えられるため、吹奏感が大きく変わってしまう。一方、本発明の実施形態における金管楽器用弱音器１００によれば、急激に息の吹き抜けが抑えられる部分がない。したがって、金管楽器用弱音器１００を取り付けた管楽器１と金管楽器用弱音器１００を取り付けていない管楽器１との吹込み感の違いも少なくすることができる。
このように、演奏者は、管楽器１のベル管７１に金管楽器用弱音器１００を取り付けることにより、取り付ける前に比べて、音質が変化しないようにしつつ、音量を抑えた演奏をすることができる。また、演奏者に与える吹込み感の変化も少なくすることができる。また、固定部３１がベル管７１の奥にあるテーパ部７２と接触して主管部１０と管楽器１との間を閉塞するように金管楽器用弱音器１００を固定し、分岐管１１０を支持することにより、金管楽器用弱音器１００が管楽器１から脱落しにくくなる。
【００２６】
また、上記のように、ベル管７１を再現するのではなく、全く別の形状の管体を想定した共鳴特性を再現したい場合には、その管体の形状に応じた内部空間の形状を有する分岐管１１０を有する金管楽器用弱音器１００を、管楽器１に取り付ければよい。これにより、様々な管楽器の音を再現することができる。
このような場合には、演奏者は、金管楽器用弱音器１００を管楽器１に取り付けることにより、トランペットの演奏方法により様々な音での演奏をすることができる。
【００２７】
＜変形例＞
以上、本発明の実施形態およびその実施例について説明したが、本発明は以下のように、さまざまな態様で実施可能である。
【００２８】
［変形例１］
上述した実施形態においては、副管部２１が主管部１０の周囲を覆うように構成されていてもよい。
【００２９】
図５は、変形例１における管楽器１に取り付けられた金管楽器用弱音器１００ａを説明する断面図である。図５（ａ）に示すように、金管楽器用弱音器１００ａは、主管部１０ａ、主管部１０ａと内部空間が連結部分Ｐ１で連結された副管部２１ａおよび固定部３１ａを有する。副管部２１ａは、主管部１０ａの一部を覆う形状になっている。この例においては、副管部２１ａは、主管部１０ａの管軸方向からみて主管部１０ａの周囲全体を覆い、副管部２１ａの内部空間は、主管部１０ａに表面形状に沿った形状になっている。
【００３０】
主管部１０ａは、互いに分離した第１主管部１０ａ１と第２主管部１０ａ２とにより構成されている。第１主管部１０ａ１と第２主管部１０ａ２との間に構成される連結部分Ｐ１において、主管部１０ａに流入する演奏者の息が分岐して副管部２１ａに流入する。副管部２１ａは、第１主管部１０ａ１と接続されている。また、副管部２１ａは、内部空間に設けられた支柱を介して第２主管部１０ａ２と接続されている。
【００３１】
図５（ｂ）は、図５（ａ）の矢視Ｂ−Ｂ方向から見た断面図である。図５（ｂ）に示すように、第２主管部１０ａ２とその周囲を覆う副管部２１ａとの間に支柱１０ａ３が設けられている。このように、第１主管部１０ａ１と第２主管部１０ａ２とは、この支柱１０ａ３および副管部２１ａを介して接続され、互いに支持する関係となる。なお、支柱１０ａ３とともに、または支柱１０ａ３に代えて、第１主管部１０ａ１と第２主管部１０ａ２とを接続する支柱を有していてもよい。
【００３２】
図５（ｃ）は、図５（ａ）の矢視Ｂ−Ｂ方向から見た断面図であり、図５（ｂ）とは異なる例を示す。図５（ｃ）に示す場合においては、副管部２１ａの内部空間は、副管部２１ａの管体と主管部１０ａ（第２主管部１０ａ２）の管体の一部により構成されている。この例においては、副管部２１ａは、第２主管部１０ａ２の管軸方向からみて第２主管部
１０ａ２のある角度範囲を覆い、副管部２１ａの内部空間は、第２主管部１０ａ２の表面形状に沿った形状になっている。このような場合には、副管部２１ａは、第１主管部１０ａ１および第２主管部１０ａ２の双方と接続されているから、上記の支柱は不要である。
【００３３】
［変形例２］
上述した実施形態においては、主管部１０の側面に他の管体の連結部分Ｐ１が設けられていたが、主管部１０の内部空間に連結部分が設けられるようにしてもよい。
【００３４】
図６は、変形例２における管楽器１に取り付けられた金管楽器用弱音器１００ｂを説明する断面図である。金管楽器用弱音器１００ｂは、主管部１０ｂ、主管部１０ｂと内部空間が連結部分Ｐ１で連結された副管部２１ｂ、および固定部３１ｂを有する。副管部２１ｂは、主管部１０ｂの内部空間に挿入されている。そのため、主管部１０ｂと副管部２１ｂとの内部空間における連結部分Ｐ１は、主管部１０ｂの側面ではなく管体内部に存在している。
この場合、主管部１０ｂに流入する演奏者の息は、連結部分Ｐ１において分岐して副管部２１ｂに流入し、また、主管部１０ｂと副管部２１ｂとの間に形成される空間に流入する。副管部２１ｂと主管部１０ｂとは、変形例１における図５（ｂ）に説明したように、支柱により接続されている。
【００３５】
［変形例３］
上述した実施形態においては、主管部１０の断面積は、連結部分Ｐ１の上流側と下流側とで断面積が変化していなかったが、変化してもよい。連結部分Ｐ１の上流側における主管部の外周と、下流側における主管部と副管部とをあわせた外周とが概ね一致した形状になるように構成されていてもよい。この場合、主管部１０の内部空間の断面積が、連結部分Ｐ１の上流側と下流側とで異なっている。この場合の例について、図７を用いて説明する。
【００３６】
図７は、変形例３における管楽器１に取り付けられた金管楽器用弱音器１００ｃを説明する断面図である。図７（ａ）に示すように、金管楽器用弱音器１００ｃは、主管部１０ｃ、主管部１０ｃと連結部分Ｐ１で連結された副管部２１ｃ、および固定部３１ｃを有する。この例においては、主管部１０ｃは、連結部分Ｐ１より上流側の第１主管部１０ｃ１と、下流側の第２主管部１０ｃ２とにより構成されている。第１主管部１０ｃ１は、断面形状が円形である。
【００３７】
図７（ｂ）は、図７（ａ）における矢視Ｃ−Ｃ方向から見た断面図である。図７（ｂ）に示すように、第２主管部１０ｃ２と副管部２１ｃとは、それぞれ内部空間の断面形状が半円形である。第２主管部１０ｃ２の平面部分が副管部２１ｃの平面部分として用いられ全体として断面形状が円形となり、第１主管部１０ｃ１の断面形状と同じ形状になっている。
【００３８】
［変形例４］
上述した実施形態においては、主管部１０および副管部２１は、内部空間の断面積が概ね変化しないストレート管であったが、テーパ管であってもよいし、ベル形状のように一定の曲率を有した管体であってもよいし、その他の形状の管体であってもよい。また、ストレート管とテーパ管などを組み合わせた管体であってもよいし、他の形状の管体であってもよい。以下、複数の例について説明する。まず、主管部１０の一部がテーパ管である例について説明する。
【００３９】
図８は、変形例４における管楽器１に取り付けられた金管楽器用弱音器１００ｄの例を説明する断面図である。金管楽器用弱音器１００ｄは、主管部１０ｄ、主管部１０ｄと内部空間が連結部分Ｐ１で連結された副管部２１ｄおよび固定部３１ｄを有する。主管部１０ｄは、連結部分Ｐ１より上流側の第１主管部１０ｄ１、および連結部分Ｐ１より下流側の第２主管部１０ｄ２により構成されている。図８に示す例において、第２主管部１０ｄ２は、内部空間の断面積の下流側が小さくなっているテーパ管（以下、逆テーパ管という）である。このように構成すると、管楽器１から発音される音量を、実施形態における場合に比べて、より抑えることができる。なお、第１主管部１０ｄ１と第２主管部１０ｄ２との境界は図８に示す例に限らず、より主管部１０ｄの下流側であってもよいし、上流側であってもよい。
【００４０】
図９は、変形例４における管楽器１に取り付けられた金管楽器用弱音器１００ｅの例を説明する断面図である。金管楽器用弱音器１００ｅは、主管部１０ｅ、主管部１０ｅと内部空間が連結部分Ｐ１で連結された副管部２１ｅおよび固定部３１ｅを有する。主管部１０ｅは、上流側に位置する第１主管部１０ｅ１、および下流側に位置する第２主管部１０ｅ２により構成されている。図９に示す例において、第２主管部１０ｅ２は、内部空間の断面積の下流側が大きくなっているテーパ管（以下、順テーパ管という）である。このように構成すると、管楽器１から発音される音量を、実施形態における場合に比べて、より増加させることができる。すなわち、実施形態における場合に比べて、金管楽器用弱音器を管楽器１に取り付けることによる音量の抑制量を少なくすることができる。
続いて、副管部２１の一部がテーパ管である例について説明する。
【００４１】
図１０は、変形例４における管楽器１に取り付けられた金管楽器用弱音器１００ｆの例を説明する断面図である。金管楽器用弱音器１００ｆは、主管部１０ｆ、主管部１０ｆと内部空間が連結部分Ｐ１で連結された副管部２１ｆおよび固定部３１ｆを有する。図１０に示す例において、図５に示す金管楽器用弱音器１００ａにおける場合の副管部２１ａを、逆テーパ管の副管部２１ｆとしたものである。
なお、上記の例は、金管楽器用弱音器の分岐管が取りうる様々な形状のうちの一例である。その他の例として、主管部が順テーパ管と逆テーパ管とストレート管とが接続されたものであってもよい。また、連結部分Ｐ１は、主管部のストレート管部分に設けられるだけでなく順テーパ管、逆テーパ管に設けられていてもよい。なお、主管部からの分流箇所が１箇所である場合、固定部の位置は、第１の開口部と第３の開口部の間であれば、どこにあっても良い。
【００４２】
［変形例５］
上述した実施形態においては、金管楽器用弱音器１００の分岐管１１０は、主管部１０と副管部２１とを有し、１つの連結部分Ｐ１を有していたが、さらに多くの管体と連結されていてもよい。以下、副管部が２つある場合の分岐管を有する金管楽器用弱音器について、複数の例を用いて説明する。なお、副管部２つある場合には、分岐管を構成する管体は３つであるが、さらに多くの管体が接続されて分岐管を構成していてもよい。
【００４３】
図１１は、変形例５における管楽器１に取り付けられた金管楽器用弱音器１００ｇの例を説明する断面図である。金管楽器用弱音器１００ｇは、主管部１０ｇ、主管部１０ｇと内部空間が連結部分Ｐ１で連結された第１副管部２１ｇ、主管部１０ｇと内部空間が連結部分Ｐ２で連結された第２副管部２２ｇ、および固定部３１ｇを有する。このように、主管部１０ｇに流入する演奏者の息は、主管部１０ｇと第１副管部２１ｇとの内部空間の連結部分である連結部分Ｐ１において第１副管部２１ｇに分岐して流入し、また、主管部１０ｇと第２副管部２２ｇとの内部空間の連結部分である連結部分Ｐ２において第２副管部２２ｇに分岐して流入する。このように、金管楽器用弱音器１００ｇは、演奏者に吹き込まれた息が分岐する部分として、連結部分Ｐ１、Ｐ２の２つが設けられた分岐管を有する。
【００４４】
主管部１０ｇは、互いに分離した第１主管部１０ｇ１、第２主管部１０ｇ２および第３主管部１０ｇ３により構成されている。第１主管部１０ｇ１と第２主管部１０ｇ２との間に構成される連結部分Ｐ１において、主管部１０ｇに流入する演奏者の息が分岐して第１副管部２１ｇに流入する。第２主管部１０ｇ２と第３主管部１０ｇ３との間に構成される
連結部分Ｐ２において、主管部１０ｇに流入する演奏者の息が分岐して第２副管部２２ｇに流入する。それぞれの管体の接続関係については、変形例１において説明したものと同様であるため、その説明を省略する。
このような連結部分を複数設けた分岐管を持つ金管楽器用弱音器の場合、固定部の位置は、第１の開口部と最上流側の分岐管における第３の開口部の間であれば、どこにあっても良い。
このように、連結部分を複数設けた分岐管を持つ金管楽器用弱音器を用いると、連結部分が単数の分岐管に比べて、さらに様々な形状の管体における共鳴特性を再現することができる。
【００４５】
図１２は、変形例５における管楽器１に取り付けられた金管楽器用弱音器１００ｈの例を説明する断面図である。金管楽器用弱音器１００ｈは、主管部１０ｈ、主管部１０ｈと内部空間が連結部分Ｐ１で連結された第１副管部２１ｈ、第１副管部２１ｈと内部空間が連結部分Ｐ２で連結された第２副管部２２ｈ、および固定部３１ｈを有する。このように、主管部１０ｈに流入する演奏者の息は、主管部１０ｈと第１副管部２１ｈとの内部空間の連結部分である連結部分Ｐ１において第１副管部２１ｈに分岐して流入し、また、第１副管部２１ｈと第２副管部２２ｈとの内部空間の連結部分である連結部分Ｐ２において第２副管部２２ｈに分岐して流入する。それぞれの管体の接続関係については、変形例１において説明したものと同様であるため、その説明を省略する。
【００４６】
図１３は、変形例５における管楽器１に取り付けられた金管楽器用弱音器１００ｋの例を説明する断面図である。金管楽器用弱音器１００ｋは、主管部１０ｋ、主管部１０ｋと内部空間が連結部分Ｐ１で連結された第１副管部２１ｋ、主管部１０ｋと内部空間が連結部分Ｐ２で連結された第２副管部２２ｋ、および固定部３１ｋを有する。このように、主管部１０ｋに流入する演奏者の息は、主管部１０ｋと第１副管部２１ｋとの内部空間の連結部分である連結部分Ｐ１において第１副管部２１ｋに分岐して流入し、また、主管部１０ｋと第２副管部２２ｋとの内部空間の連結部分である連結部分Ｐ２において第２副管部２２ｋに分岐して流入する。
【００４７】
主管部１０ｋは、連結部分Ｐ１より上流側の第１主管部１０ｋ１と、下流側の第２主管部１０ｋ２とにより構成されている。主管部１０ｋと第１副管部２１ｋとの関係については、変形例３において説明したものと同様であるため、その説明を省略する。第２副管部２２ｋは、第２主管部１０ｋ２における平面の側面部分（図１３における第２主管部１０ｋ２の下側）に接続されている。図１３に示すように、第２主管部１０ｋ２は、ベル管７１の管軸からずれた位置に設けられている。そのため、第２副管部２２ｋは、第２主管部１０ｋ２からベル管７１の管軸側に延びるようにすると、ベル管７１の内部空間を有効に活用することができる。
なお、第２主管部１０ｋ２は、連結部分Ｐ２の上流側と下流側とで内部空間の断面積が異なる管体が接続されたものであってもよい。
【００４８】
［変形例６］
上述した実施形態における固定部３１は、演奏者によって吹き込まれた息を主管部１０に全て流入させるように主管部１０とベル管７１との間を塞ぐように設けられていたが、一部の息が主管部１０とベル管７１との間に流入するように設けられていてもよい。
図１４を用いて、一部の息を主管部１０とベル管７１との間に流入させる固定部を実現する例について説明する。
【００４９】
図１４は、変形例６における管楽器１に取り付けられた金管楽器用弱音器１００ｍの例を説明する断面図である。図１４（ａ）に示すように、金管楽器用弱音器１００ｍは、変形例５における金管楽器用弱音器１００ｇの構成から第１副管部２１ｇを取り除き、固定部３１ｇの構成を変更している。すなわち、金管楽器用弱音器１００ｍは、第１主管部１０ｍ１と第２主管部１０ｍ２とにより構成される主管部１０ｍ、主管部１０ｍと内部空間が連結部分Ｐ２で連結された副管部２２ｍ、および固定部３１ｍ１、３１ｍ２ｍ、３１ｍ３を有する。
【００５０】
図１４（ｂ）は、図１４（ａ）における矢視Ｄ−Ｄ方向から見た断面図である。金管楽器用弱音器１００ｍにおける固定部は、この例においては、３つの固定部３１ｍ１、３１ｍ２ｍ、３１ｍ３により構成されている。固定部３１ｍ１、３１ｍ２ｍ、３１ｍ３は、ベル管７１のテーパ部７２と第１主管部１０ｍ１との間に挟まれた状態で、ベル管７１のテーパ部７２と第１主管部１０ｍ１との管壁、固定部３１ｍ１、３１ｍ２ｍ、３１ｍ３におけるテーパ部７２または第１主管部１０ｍ１と接していない側壁により、内部空間３２ｍ１、３２ｍ２、３２ｍ３が構成される。内部空間３２ｍ１、３２ｍ２、３２ｍ３の上流側の端部から、第１主管部１０ｍ１に流入する息は、内部空間３２ｍ１、３２ｍ２、３２ｍ３のそれぞれにも分岐して流入する。この例においては、内部空間３２ｍ１、３２ｍ２、３２ｍ３の上流側の端部における断面積の合計は、第１主管部１０ｍ１の断面積よりも小さくなるように構成されている。
続いて、固定部を用いて、第１主管部１０ｍ１とテーパ部７２との間に内部空間が構成される他の例について図１５を用いて説明する。
【００５１】
図１５は、変形例６における固定部３１ｍの他の例を説明する断面図である。図１５（ａ）に示す第１の例における固定部３１ｍａにより構成される内部空間３２ｍａ１、３２ｍａ２、３２ｍａ３は、管壁を用いていない。固定部３１ｍａは、内部空間３２ｍａ１、３２ｍａ２、３２ｍａ３を構成する。すなわち、内部空間３２ｍａ１、３２ｍａ２、３２ｍａ３は、その周囲を固定部３１ｍａに囲まれ、テーパ部７２と第１主管部１０ｍ１とのいずれとも接していない。
【００５２】
図１５（ｂ）に示す第２の例における固定部３１ｍｂにより構成される内部空間３２ｍｂ１、３２ｍｂ２、３２ｍｂ３は、第１主管部１０ｍ１の管壁を用い、テーパ部７２の管壁を用いていない。固定部３１ｍｂは、第１主管部１０ｍ１とともに、内部空間３２ｍｂ１、３２ｍｂ２、３２ｍｂ３を構成する。すなわち、内部空間３２ｍｂ１、３２ｍｂ２、３２ｍｂ３は、第１主管部１０ｍ１の管壁と固定部３１ｍｂとに囲まれ、テーパ部７２と接していない。
【００５３】
図１５（ｃ）に示す第３の例における固定部３１ｍｃにより構成される内部空間３２ｍｃ１、３２ｍｃ２、３２ｍｃ３は、テーパ部７２の管壁を用い、第１主管部１０ｍ１の管壁を用いていない。固定部３１ｍｃは、テーパ部７２とともに、内部空間３２ｍｃ１、３２ｍｃ２、３２ｍｃ３を構成する。すなわち、内部空間３２ｍｃ１、３２ｍｃ２、３２ｍｃ３は、テーパ部７２の管壁と固定部３１ｍｃとに囲まれ、第１主管部１０ｍ１と接していない。
【００５４】
このように、固定部を用いて演奏者の息が流入する内部空間を形成する態様は様々である。なお、複数の内部空間における構成は、これらの例を組み合わせたものであってもよい。例えば、３つの内部空間が、それぞれ第１、第２、第３の例における構成であってもよい。このような内部空間を構成する固定部を用いる場合、その固定部の位置は、第１の開口部と第２の開口部の間のどこにあっても良い。
【００５５】
変形例６の金管楽器用弱音器１００ｍによれば、演奏者の息が全てまず主管部に流入するように固定部が主管部とベル管との間を塞ぐ構成の金管楽器用弱音器と比較し、演奏者の息の吹き抜けが抑えられる程度が小さくなる。その結果、演奏者は金管楽器用弱音器を用いない金管楽器を演奏する場合により近い吹奏感で演奏を行なうことができる。
【００５６】
［変形例７］
上述した変形例５における金管楽器用弱音器１００ｇにおいて、第１副管部２１ｇおよび第２副管部２２ｇは、内部空間が連結された管体により構成されてもよい。
【００５７】
図１６は、変形例７における管楽器１に取り付けられた金管楽器用弱音器１００ｐを説明する断面図である。金管楽器用弱音器１００ｐは、主管部１０ｐ、主管部１０ｐと内部空間が連結部分Ｐ１で
連結された第１副管部２１ｐ、第１副管部２１ｐと内部空間が連結部分Ｐ２で連結された第２副管部２２ｐ、および固定部３１ｐを有する。第１副管部２１ｐと第２副管部２２ｐとが連結された管体が、主管部１０ｐを覆っている。主管部１０ｐは、互いに分離した第１主管部１０ｐ１および第２主管部１０ｐ２により構成されている。この例においては、第１副管部２１ｐは、第２主管部１０ｐ２の一部を覆う形状になっている。一方、第２副管部２２ｐは、第１主管部１０ｐ１の一部を覆う形状になっている。
【００５８】
第１主管部１０ｐ１と第２主管部１０ｐ２との間に構成される連結部分Ｐ１において、主管部１０ｐに流入する演奏者の息が分岐して第１副管部２１ｐに流入する。また、第１副管部２１ｐと第２副管部２２ｐとの連結部分Ｐ２において、第１副管部２１ｐに流入する演奏者の息が分岐して第２副管部２２ｐに流入する。
なお、第１副管部２１ｐと第２副管部２２ｐとが連結された管体と主管部１０ｐとは、変形例１における図５（ｂ）に説明したように、支柱により接続されている。
【００５９】
図１７は、変形例７における管楽器１に取り付けられた金管楽器用弱音器１００ｑを説明する断面図である。金管楽器用弱音器１００ｑは、主管部１０ｑ、主管部１０ｑと内部空間が連結部分Ｐ１で連結された第１副管部２１ｑ、第１副管部２１ｑと内部空間が連結部分Ｐ２で連結された第２副管部２２ｑ、および固定部３１ｑを有する。このように、主管部１０ｑに流入する演奏者の息が分岐して第１副管部２１ｑに流入し、第１副管部２１ｑに流入した演奏者の息が分岐して第２副管部２２ｑに流入するように、それぞれの管体が連結されていてもよい。
【００６０】
［変形例８］
上述した実施形態において、金管楽器用弱音器１００を構成する管体は、分離可能に構成されていてもよい。例えば、主管部１０が分離可能に構成された金管楽器用弱音器１００ｒについて、図１８を用いて説明する。
【００６１】
図１８は、変形例８における金管楽器用弱音器１００ｒを説明する断面図である。金管楽器用弱音器１００ｒは、第１主管部１０ｒ１、第２主管部１０ｒ２、第３主管部１０ｒ３、第２主管部１０ｒ２と内部空間が連結された副管部２１ｒ、固定部３１ｒ、第１接続部３３ｒ１、および第２接続部３３ｒ２を有する。固定部３１ｒは、第１主管部１０ｒ１の上流側端部１５ｒ１Ｕ側に設けられている。第１接続部３３ｒ１は、第１主管部１０ｒ１の下流側端部１５ｒ１Ｌ側に設けられ、第２主管部１０ｒ１と第２主管部１０ｒ２とを接続する。第２接続部３３ｒ２は、第２主管部１０ｒ２の下流側端部１５ｒ２Ｌ側に設けられ、第２主管部１０ｒ２と第３主管部１０ｒ３とを接続する。
【００６２】
第１接続部３３ｒ１および第２接続部３３ｒ２により、第１主管部１０ｒ１、第２主管部１０ｒ２および第３主管部１０ｒ３を接続すると、実施形態における金管楽器用弱音器１００と同様な構成となる。このように、管体が分離可能に構成されることにより、管体の収納が容易になる。
なお、第１主管部１０ｒ２と副管部２１ｒとが分離可能に構成されていてもよい。
【００６３】
［変形例９］
上述した実施形態においては、固定部３１は、テーパ部７２と主管部１０との間に挟まれるようになっていたが、ベル部７３と主管部１０との間に挟まれるようになっていてもよい。この場合には、演奏者の息が、ベル管７１の大きな断面積の内部空間に一旦広がった状態で、内部空間の断面積の小さい主管部１０に流入することになるため、実施形態における構成の場合と比べて演奏者の吹き込み感を変化させることもできる。
【００６４】
［変形例１０］
上述した実施形態においては、金管楽器用弱音器１００の分岐管１１０を構成する各管体は、端部においてのみ開口していたが、側面に開口部が設けられていてもよい。この場合、開口部が側面に設けられた管体の端部においては開口していなくてもよい。
【００６５】
［変形例１１］
上述した実施形態においては、主管部１０および副管部２１は、管長は変化しなかったが、管長が変化するように構成されてもよい。管長の変化は、例えば、スライド管により実現する。また、移動させたスライド管の位置を固定するストッパなどを有していてもよい。これにより、演奏者は、スライド管を移動させてから、ストッパなどによりその位置を固定しておくことで、金管楽器用弱音器の共鳴特性を変化させることができる。そのため、演奏者は、共鳴特性を変化させた金管楽器用弱音器を管楽器１に取り付けることで、様々な音で演奏することができる。
【００６６】
［変形例１２］
上述した実施形態においては、各管体の断面形状は円形であったが、楕円、多角形など他の形状であってもよい。また、管体の断面形状が管軸方向の位置により異なっていてもよい。なお、管体の内部空間の断面積が管軸方向に沿って連続的にまたは不連続的に変化するものであってもよい。
【００６７】
［変形例１３］
上述した実施形態または各変形例においては、各管体の管軸方向は、互いに垂直、または概ね平行の関係であったが、互いの管体における管軸のなす角は０度、９０度以外であってもよい。例えば、主管部１０の管軸方向に対して副管部２１の管軸方向が斜め方向に伸びていてもよい。
【００６８】
（実施形態の金管楽器用弱音器を用いた金管楽器の共鳴特性）
以下に、上述した実施形態およびその変形例の金管楽器用弱音器を用いた金管楽器の共鳴特性につき補足する。
図２１は、本発明の実施形態およびその変形例の金管楽器用弱音器の一例として、変形例５の２つの分岐管を具備する金管楽器用弱音器１００ｇを用いた金管楽器の共鳴特性を示すグラフである。図２１において、Ｐ0は金管楽器用弱音器１００ｇを用いない金管楽器の共鳴ピークを表す特性カーブを示し、Ｐｍは金管楽器用弱音器１００ｇを用いた金管楽器の共鳴ピークを表す特性カーブを示す。
図２２は、従来の金管楽器用弱音器を用いた金管楽器の共鳴特性を示すグラフである。図２２において、Ｃｍは従来の金管楽器用弱音器を用いた金管楽器の共鳴ピークを表す特性カーブを示し、Ｐ0は金管楽器用弱音器を用いない金管楽器の共鳴ピークを表す特性カーブを示す。
図２１から明らかなように、金管楽器用弱音器１００ｇを用いた金管楽器の共鳴特性は、金管楽器用弱音器を用いない金管楽器の共鳴特性からのずれが小さい。
また、図２２に示されるように、従来の金管楽器用弱音器を用いた金管楽器では、金管楽器用弱音器を用いない本来の金管楽器の共鳴特性に対して、ずれが大きく、また低音域において不要な共鳴ピークを生じさせている。これに対し、図２１に示すように金管楽器用弱音器１００ｇを用いた金管楽器においては不要な共鳴ピークが生じていない。
従って、金管楽器用弱音器１００ｇによれば、金管楽器用弱音器を用いない場合の共鳴特性とのずれが小さく、また従来の金管楽器用弱音器を用いた場合のような不要な共鳴ピークが生じないため、従来の金管楽器用弱音器の使用に伴うピッチの不安定化や、音色変化等の不都合が少なく、、金管楽器用弱音器を用いない本来の金管楽器の共鳴特性をより忠実に再現することができる。
なお、金管楽器用弱音器１００ｇにつき上述した共鳴特性に関する効果は、本発明の実施形態およびその変形例の他の金管楽器用弱音器１００（例えば、単一の分岐管を有する変形例１の金管楽器用弱音器１００ａ）においても同様に得られることが確認されている。
【符号の説明】
【００６９】
１，１０００Ａ，１０００Ｂ…管楽器、１０，１０ａ，１０ｂ，１０ｃ，１０ｄ，１０ｅ，１０ｆ，１０ｇ，１０ｈ，１０ｋ，１０ｍ，１０ｐ，１０ｑ…主管部、１０ａ１，１０ｃ１，１０ｄ１，１０ｅ１，１０ｆ１，１０ｇ１，１０ｋ１，１０ｍ１，１０ｐ１，１０ｒ１…第１主管部、１０ａ２，１０ｃ２，１０ｄ２，１０ｅ２，１０ｆ２，１０ｇ２，１０ｋ２，１０ｍ２，１０ｐ２，１０ｒ２…第２主管部、１０ｇ３，１０ｒ３…第３主管部、１０ａ３…支柱、１５Ｌ，１５ａＬ，１５ｒ１Ｌ，１５ｒ２Ｌ…下流側端部、１５Ｕ，１５ｒ１Ｕ，１５ｒ２Ｕ，１５ｒ３Ｕ…上流側端部、２１，２１ａ，２１ｂ，２１ｃ，２１ｄ，２１ｅ，２１ｆ，２１ｒ…副管部、２１ｇ，２１ｈ，２１ｋ，２１ｍ，２１ｐ，２１ｑ…第１副管部、２２ｇ，２２ｈ，２２ｋ，２２ｍ，２２ｐ，２２ｑ…第２副管部、３１，３１ａ，３１ｂ，３１ｃ，３１ｄ，３１ｅ，３１ｆ，３１ｇ，３１ｈ，３１ｋ，３１ｍ１，３１ｍ２，３１ｍ３，３１ｍａ，３１ｍｂ，３１ｍｃ，３１ｐ，３１ｑ，３１ｒ…固定部、３２ｍ１，３１ｍ２，３１ｍ３，３２ｍａ１，３２ｍａ２，３２ｍａ３，３２ｍｂ１，３２ｍｂ２，３２ｍｂ３，３２ｍｃ１，３２ｍｃ２，３２ｍｃ３…内部空間、３３ｒ１…第１接続部、３３ｒ２…第２接続部、４１…音高調整部、５１…マウスピース、７１…ベル管、７２…テーパ部、７３…ベル部、７５Ｌ…端部、１００，１００ａ，１００ｂ，１００ｃ，１００ｄ，１００ｅ，１００ｆ，１００ｇ，１００ｈ，１００ｋ，１００ｍ，１００ｐ，１００ｑ，１００ｒ…金管楽器用弱音器、１１０…分岐管、４００Ａ，４００Ｂ…管体、４１０，４２０…ストレート管、４５０…テーパ管
【図１】
0006011144.tif 000002
【図２】
0006011144.tif 000003
【図３】
0006011144.tif 000004
【図４】
0006011144.tif 000005
【図５】
0006011144.tif 000006
【図６】
0006011144.tif 000007
【図７】
0006011144.tif 000008
【図８】
0006011144.tif 000009
【図９】
0006011144.tif 000010
【図１０】
0006011144.tif 000011
【図１１】
0006011144.tif 000012
【図１２】
0006011144.tif 000013
【図１３】
0006011144.tif 000014
【図１４】
0006011144.tif 000015
【図１５】
0006011144.tif 000016
【図１６】
0006011144.tif 000017
【図１７】
0006011144.tif 000018
【図１８】
0006011144.tif 000019
【図１９】
0006011144.tif 000020
【図２０】
0006011144.tif 000021
【図２１】
0006011144.tif 000022
【図２２】
0006011144.tif 000023